(57)【要約】【課題】電波の受信感度を良好に保つことができる無線アンテナ装置を提供する。【解決手段】無線アンテナ装置１は、棒状のアンテナ３と、アンテナ３を支持する支持部材４と、を有し、アンテナ３は、アンテナ本体部３ａと、略球面状の摺動面を有する摺動部３ｃと、アンテナ３の重心が位置する重心部３ｄとを有し、支持部材４は、摺動面を摺接支持する摺接孔を有する。【選択図】図１
2015122727.tif 000002
【特許請求の範囲】
【請求項１】
棒状のアンテナと、前記アンテナを支持する支持部材と、を有する無線アンテナ装置であって、
前記アンテナは、アンテナ本体部と、略球面状の摺動面を有する摺動部と、前記アンテナの重心が位置する重心部とを有し、
前記支持部材は、前記摺動面を摺接支持する摺接孔を有する、無線アンテナ装置。
【請求項２】
前記無線アンテナ装置は、
前記アンテナの全体を覆うケースを備え、
前記支持部材は、前記ケースの内周壁に固定される板部材を有し、
前記摺接孔は、前記板部材に形成されている、請求項１に記載の無線アンテナ装置。
【請求項３】
前記支持部材は、前記アンテナを用いて電波を送信または受信するための制御回路基板を構成する、請求項１または２に記載の無線アンテナ装置。
【発明の詳細な説明】
【技術分野】
【０００１】
本願は無線アンテナ装置に関し、例えば感度向上対策に係る無線アンテナ装置に関する。
【背景技術】
【０００２】
従来、無線で電波を送信または受信する無線アンテナは、機器本体等に対する角度が所定角度になるように固定して使用される（例えば特許文献１参照。）。
【先行技術文献】
【特許文献】
【０００３】
【特許文献１】特開２００８−７８８３５号公報
【発明の概要】
【発明が解決しようとする課題】
【０００４】
しかしながら、上述の無線アンテナでは、機器本体が傾くと機器本体に固定されたアンテナも同様に傾いてしまう。この場合、アンテナ姿勢（角度）が変化するため、電波の受信感度が損なわれることがある。特に、無線アンテナがいわゆる指向性型の場合、アンテナ姿勢の変化により偏波面角度が変化するので受信感度が顕著に低下してしまう。
【０００５】
本願は、このような事情に鑑みなされたもので、その目的は、機器本体が傾いても、電波の受信感度を良好に保つことのできる無線アンテナ装置の提供にある。
【課題を解決するための手段】
【０００６】
上記の課題を解決するため、以下に開示する無線アンテナ装置は、棒状のアンテナと、前記アンテナを支持する支持部材と、を有する無線アンテナ装置であって、前記アンテナは、アンテナ本体部と、略球面状の摺動面を有する摺動部と、前記アンテナの重心が位置する重心部とを有し、前記支持部材は、前記摺動面を摺接支持する摺接孔を有する。
【発明の効果】
【０００７】
以下に開示する無線アンテナ装置によれば、機器本体が傾いた場合でも、電波の受信感度を良好に保つことが可能となる。
【図面の簡単な説明】
【０００８】
【図１】本願の無線アンテナ装置の断面図である。
【図２】図１のＡ−Ａ線の断面図である。
【図３】本願の無線アンテナ装置が傾いた状態を示す断面図である。
【図４】本願の変形例に係る無線アンテナ装置の断面図である。
【発明を実施するための形態】
【０００９】
以下、本願の実施形態について、図１〜図４を参照して説明する。
【００１０】
本実施形態の無線アンテナ装置は、全体を図示しない機器本体に内蔵されて固定されている。機器本体は、測定対象機器を計測するセンサ部から出力された計測データの信号を、外部の受信機に対して無線送信する無線通信機である。上記センサ部は、例えば測定対象機器としてのスチームトラップの温度や圧力を計測するものとすることができる。
【００１１】
図１および図２に示すように、無線アンテナ装置１は、ケース２と、ケース２に収容される棒状のアンテナ３と、アンテナ３を支持する支持部材４とを備える。
【００１２】
ケース２は、アンテナ３の全体を上方から覆うように円筒容器状に形成されている。本実施形態の無線アンテナ装置１は、ケース２の下端が機器本体（図示せず）に固定されて取り付けられる。
【００１３】
アンテナ３は、鉛直方向（上及び下を示す矢印の方向）に延びる状態（即ち、軸方向が鉛直方向と一致する状態）で支持部材４によって支持される。アンテナ３は、その軸方向に上方から順に、棒状のアンテナ本体３ａと、略球面状に形成された摺動面を有する摺動部３ｃと、アンテナ３の重心Ｇが位置する重心部３ｄとが一体に連続形成されている。
【００１４】
アンテナ３は、垂直に立てられた状態で、低誘電率材料（例えば熱可塑性エラストマー（ＴＰＥ）又は熱硬化性ポリウレタン樹脂）からなるアンテナ本体３ａに埋設されたアンテナ素子（図示せず）より電波を放射する指向性型の送信アンテナである。アンテナ３から放射される電波は、例えば、その電界が大地と垂直になる垂直偏波、又は、その電界が大地と水平になる水平偏波で送出される。摺動部３ｃは、球体の上部及び下部が水平に切除されたような形状をなしている。なお、重心部３ｄには、制御基板（図示せず）から延びる伝送線５が接続されている。伝送線５を介して、測定対象装置をセンシングした計測データの信号が機器本体（図示せず）からアンテナ３に送られる。制御基板（図示せず）は、センシングされた計測データをバッファリングして所望の信号（電波）に変換し、アンテナ３の電波の送信タイミングを制御することができる。
【００１５】
支持部材４はドーナツ形状（図２参照）をなし、その外周端４ｂがケース２の側壁２ａの内周壁において４つの突起２ｂによって挟持固定されている。また支持部材４は、側壁２ａの内周壁からアンテナ３の方向に向かって水平に板状に延び、支持部材４が延びた先の内周端４ａは、摺接孔を形成する。摺接孔により、アンテナ３の摺動部３ｃを摺接支持することができる。すなわち、支持部材４は、ケース２の内周壁に固定される板部材を構成している。また、支持部材４の内周端４ａにより、板部材である支持部材４に摺接孔が形成されている。
【００１６】
つまり、支持部材４は、アンテナ３が摺動部３ｃの球心Ｐの周りに回動可能に、且つ、該回動に伴って摺動部３ｃが摺動可能に、摺動部３ｃの摺動面を摺接支持するものである。
【００１７】
本実施形態の無線アンテナ装置１では、図３に示すように、機器本体が傾くと、それに伴ってケース２および支持部材４が傾く。一方、アンテナ３は、重心部３ｄよりも上方に位置する摺動部３ｃで支持されており、摺動部３ｃを境にして重心部３ｄ側がアンテナ本体３ａ側よりも重い。そのため、アンテナ３は、ケース２および支持部材４が傾いても、その傾き方向と逆の方向（図３に示す矢印Ｙの示す方向）に回動することにより、アンテナ本体３ａが最上に位置し重心部３ｄが最下に位置する状態（即ち、図１に示す軸方向が鉛直方向と一致する初期状態）に保持される。
【００１８】
したがって、無線アンテナ装置１では、機器本体の傾きに伴ってケース２および支持部材４が傾いても、常にアンテナ３を鉛直方向に延びた状態（垂直に立った状態）に保持することができる。よって、機器本体（図示せず）が傾いても、偏波面の角度を維持することができ、電波の受信感度を良好に保つことが可能になる。
【００１９】
また、本実施形態では、アンテナ３を上方から覆うケース２を備えているので、作業者や外部機器の接触等によってアンテナ３および支持部材４が損傷するのを防止することができる。これによって、確実にアンテナ３を摺動部３ｃの球心Ｐの周りに回動可能に摺接支持することができる。
【００２０】
なお、本実施形態では、図示しないが、支持部材４をアンテナ３の電波送受信を行う制御回路基板によって構成してもよい。
【００２１】
また、本実施形態では、支持部材４をドーナツ形状としたが、本願はこれに限らず、図４に示す変形例のように、支持部材４０を円形の内周端４０ａから十字方向に延びた形状とし、その４つの外周端４０ｂをケース２の側壁２ａ内面に固定し、その内周面４０ａでアンテナ３の摺動部３ｃの摺動面を摺接支持するようにしてもよい。なお、図４に示す４つのＳは、ケース２の側壁２ａ内面と支持部材４０の外周端４０ｂとの空間を示す。
【００２２】
また、本実施形態では、アンテナ３を送信アンテナとしたが受信アンテナとしても同様に適用することができる。
【産業上の利用可能性】
【００２３】
本願は、無線で電波を送信または受信する無線アンテナ装置について有用である。
【符号の説明】
【００２４】
１    無線アンテナ装置
２    ケース
３    アンテナ
３ａ  アンテナ本体
３ｃ  摺動部
３ｄ  重心部
４    支持部材
Ｐ    球心
Ｇ    重心
【図１】
2015122727.tif 000003
【図２】
2015122727.tif 000004
【図３】
2015122727.tif 000005
【図４】
2015122727.tif 000006